(57)【特許請求の範囲】
【請求項１】
機器識別子レジスタによる端末ＩＤのチェック機能を備えたＦｅｍｔｏ  ＩＭＳ（ＩＰ  Ｍｕｌｔｉｍｅｄｉａ  Ｓｕｂｓｙｓｔｅｍ）網に用いられるフェムトセル用基地局であって、
予め定められた契機により、位置登録を要求してきた無線端末の端末ＩＤであるＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｆｉｅｒ）および当該ＩＭＥＩのチェック要求を含むＳＩＰ（Session Initiation Protocol）メッセージを生成する生成手段と、
前記生成手段により生成されたＳＩＰメッセージを前記Ｆｅｍｔｏ  ＩＭＳ網におけるコアネットワーク内に配置された上位装置宛に送信する第１の送信手段と、を備えたことを特徴とするフェムトセル用基地局。
【請求項２】
前記予め定められた契機は、配下に在圏する無線端末の位置登録中の予め定められたタイミングとして設定されたことを特徴とする請求項１記載のフェムトセル用基地局。
【請求項３】
前記予め定められた契機は、配下に在圏する無線端末の位置登録における予め定められた処理が完了したタイミングであることを特徴とする請求項１記載のフェムトセル用基地局。
【請求項４】
前記予め定められた処理の完了タイミングは、位置登録を行う前記無線端末の位置情報をコアネットワークに登録させるトランザクションが完了したタイミングであることを特徴とする請求項３記載のフェムトセル用基地局。
【請求項５】
前記予め定められた契機はCheck IMEI起動契機であり、当該Check IMEI起動契機となる位置登録は、
前記無線端末の電源ＯＮされた場合、
前記フェムトセル用基地局の通信圏内に前記無線端末が移動してきた場合、
および、無線端末の機種変更が行われた場合に行われることを特徴とする請求項２から４の何れか１項に記載のフェムトセル用基地局。
【請求項６】
前記Check IMEI起動契機となる位置登録は、周期的な位置登録の場合にさらに行われることを特徴とする請求項５記載のフェムトセル用基地局。
【請求項７】
前記端末ＩＤのチェック要求に対してチェック結果が不正であることを示す不正通知を受信した場合、該端末ＩＤについての位置情報を削除させる削除要求を前記上位装置宛に送信する第２の送信手段を備えたことを特徴とする請求項１から６の何れか１項に記載のフェムトセル用基地局。
【請求項８】
前記生成手段は、前記無線端末にかけられている発信規制が存在するか否かに関わらず前記上位装置まで送信させるための規制対象外識別情報を含むＳＩＰメッセージを生成することを特徴とする請求項１から７の何れか１項に記載のフェムトセル用基地局。
【請求項９】
前記生成手段は、ＣＰＣ（Calling Party's Category）パラメータを所定の値とすることで前記規制対象外識別情報を含むＳＩＰメッセージを生成することを特徴とする請求項８記載のフェムトセル用基地局。
【請求項１０】
前記生成手段は、ＭＥＳＳＡＧＥメソッドによるＳＩＰメッセージを生成し、
前記上位装置は、ショートメッセージゲートウェイ装置であることを特徴とする請求項１から９の何れか１項に記載のフェムトセル用基地局。
【請求項１１】
機器識別子レジスタによる端末ＩＤのチェック機能を備えたＦｅｍｔｏ  ＩＭＳ（ＩＰ  Ｍｕｌｔｉｍｅｄｉａ  Ｓｕｂｓｙｓｔｅｍ）網における通信制御方法であって、
予め定められた契機により、位置登録を要求してきた無線端末の端末ＩＤであるＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｆｉｅｒ）および当該ＩＭＥＩのチェック要求を含むＳＩＰ（Session Initiation Protocol）メッセージを前記Ｆｅｍｔｏ  ＩＭＳ網におけるフェムトセル用基地局が生成する生成工程と、
前記生成工程により生成されたＳＩＰメッセージを前記Ｆｅｍｔｏ  ＩＭＳ網におけるコアネットワーク内に配置された上位装置宛に前記フェムトセル用基地局が送信する第１の送信工程と、を備えたことを特徴とする通信制御方法。
【請求項１２】
前記予め定められた契機は、配下に在圏する無線端末の位置登録中の予め定められたタイミングとして設定されたことを特徴とする請求項１１記載の通信制御方法。
【請求項１３】
前記予め定められた契機は、配下に在圏する無線端末の位置登録における予め定められた処理が完了したタイミングであることを特徴とする請求項１１記載の通信制御方法。
【請求項１４】
前記予め定められた処理の完了タイミングは、位置登録を行う前記無線端末の位置情報をコアネットワークに登録させるトランザクションが完了したタイミングであることを特徴とする請求項１３記載の通信制御方法。
【請求項１５】
前記端末ＩＤのチェック要求に対してチェック結果が不正であることを示す不正通知を前記フェムトセル用基地局が受信した場合、該端末ＩＤについての位置情報を削除させる削除要求を該フェムトセル用基地局が前記上位装置宛に送信する第２の送信工程を備えたことを特徴とする請求項１１から１４の何れか１項に記載の通信制御方法。
【請求項１６】
前記生成工程では、前記無線端末にかけられている発信規制が存在するか否かに関わらず前記上位装置まで送信させるための規制対象外識別情報を含むＳＩＰメッセージを生成することを特徴とする請求項１１から１５の何れか１項に記載の通信制御方法。
【請求項１７】
前記生成工程は、ＭＥＳＳＡＧＥメソッドによるＳＩＰメッセージを生成し、
前記上位装置は、ショートメッセージゲートウェイ装置であることを特徴とする請求項１１から１６の何れか１項に記載の通信制御方法。
【請求項１８】
機器識別子レジスタによる端末ＩＤのチェック機能を備えたＦｅｍｔｏ  ＩＭＳ（ＩＰ  Ｍｕｌｔｉｍｅｄｉａ  Ｓｕｂｓｙｓｔｅｍ）網に用いられるフェムトセル用基地局のプログラムであって、
予め定められた契機により、位置登録を要求してきた無線端末の端末ＩＤであるＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｆｉｅｒ）および当該ＩＭＥＩのチェック要求を含むＳＩＰ（Session Initiation Protocol）メッセージを生成する生成処理と、
前記生成処理により生成されたＳＩＰメッセージを前記Ｆｅｍｔｏ  ＩＭＳ網におけるコアネットワーク内に配置された上位装置宛に送信する第１の送信処理と、を前記フェムトセル用基地局のコンピュータに実行させることを特徴とするフェムトセル用基地局のプログラム。
【請求項１９】
前記予め定められた契機は、配下に在圏する無線端末の位置登録中の予め定められたタイミングとして設定されたことを特徴とする請求項１８記載のフェムトセル用基地局のプログラム。
【請求項２０】
前記予め定められた契機は、配下に在圏する無線端末の位置登録における予め定められた処理が完了したタイミングであることを特徴とする請求項１８記載のフェムトセル用基地局のプログラム。
【請求項２１】
前記予め定められた処理の完了タイミングは、位置登録を行う前記無線端末の位置情報をコアネットワークに登録させるトランザクションが完了したタイミングであることを特徴とする請求項２０記載のフェムトセル用基地局のプログラム。
【請求項２２】
前記端末ＩＤのチェック要求に対してチェック結果が不正であることを示す不正通知を受信した場合、該端末ＩＤについての位置情報を削除させる削除要求を前記上位装置宛に送信する第２の送信処理を前記フェムトセル用基地局のコンピュータに実行させることを特徴とする請求項１８から２１の何れか１項に記載のフェムトセル用基地局のプログラム。
【請求項２３】
前記生成処理では、前記無線端末にかけられている発信規制が存在するか否かに関わらず前記上位装置まで送信させるための規制対象外識別情報を含むＳＩＰメッセージを生成することを特徴とする請求項１８から２２の何れか１項に記載のフェムトセル用基地局のプログラム。
【請求項２４】
前記生成処理は、ＭＥＳＳＡＧＥメソッドによるＳＩＰメッセージを生成し、
前記上位装置は、ショートメッセージゲートウェイ装置であることを特徴とする請求項１８から２３の何れか１項に記載のフェムトセル用基地局のプログラム。
【発明の詳細な説明】
【技術分野】
【０００１】
本発明は、例えば無線端末（ＵＥ；user equipment）の盗難対策などのために、不正使用端末のチェックを行う通信システムに用いられるフェムトセル用基地局、ゲートウェイシステム、ＭＡＰゲートウェイ（ＧＷ）装置、通信システム、方法および装置のプログラムに関する。
【背景技術】
【０００２】
携帯電話機などのＵＥを呼接続させる既存の公衆移動通信網としての３Ｇ（third generation：第三世代移動体通信）網では、一般に、加入者を特定する加入者ＩＤ（ＩＭＳＩ；International Mobile Subscriber Identity）と、無線端末を特定する端末ＩＤ（ＩＭＥＩ；International Mobile Equipment Identifier）とが設定されている。
【０００３】
ＩＭＥＩは、図１５に示すように、シリアル番号などを含んで構成され、ＵＥを特定する情報を含むユニークな値である。
ＩＭＳＩは、例えばＵＳＩＭ（universal subscriber identity module）カードといった加入者識別モジュールに格納され、この加入者識別モジュールがＵＥに装着されることでＵＥが動作する。
【０００４】
こうした既存３Ｇ網におけるシステムで、ＵＥから取得したＩＭＥＩをＭＳＣ（Mobile Switching Center）が機器識別子レジスタ（ＥＩＲ；Equipment Identify Register）に送信することで、ＩＭＥＩのチェックを行うものがある（例えば、特許文献１参照）。
こうしたＩＭＥＩのチェックは、例えば盗難された不正なＩＭＥＩの無線端末が正規のＩＭＳＩで使用されるといった、不正使用されている無線端末のＩＭＥＩをチェックし、無線端末の不正使用を防止しようとするものである。
【０００５】
また、近年、家庭やオフィスなどに設置された有線回線を経由して移動通信コアネットワークに接続させるフェムトセル（femto cell）の可能性が注目されている。
このフェムトセルは、半径数十メートル程度の狭い通信エリアをカバーするフェムトセル用基地局（Femto AP）によりＵＥを無線接続させるものであり、主に家庭内やオフィス内といった室内の通信エリアをカバーする。このことにより、既存のマクロセル（macro cell）基地局のインフラ整備にコストをかけずに通信エリアをカバーすることを可能にしている（例えば、特許文献２参照）。
【先行技術文献】
【特許文献】
【０００６】
【特許文献１】特表２００８−５４４６０８号公報
【特許文献２】特表２００９−５０４０５１号公報
【発明の概要】
【発明が解決しようとする課題】
【０００７】
しかしながら、上述した特許文献１や既存３Ｇ網では、フェムトセルを導入する構成についてまで考慮されていなかった。このため、既存の公衆移動通信網のようなＩＭＥＩチェックによる無線端末の不正使用防止を実現しようにも、フェムトセル用基地局からの信号をコアネットワークに認識させることができなかった。
【０００８】
また、上述した特許文献２のようなフェムトセル用基地局についても、フェムトセル用基地局を用いて、既存の公衆移動通信網と同様のＩＭＥＩチェックによる無線端末の不正使用防止を実現することについてまでは考慮されていなかった。
【０００９】
本発明はこのような状況に鑑みてなされたものであり、フェムトセル用基地局を用いる通信システムで、既存の公衆移動通信網と同様の無線端末の不正使用防止を実現することができるフェムトセル用基地局、ゲートウェイシステム、ＭＡＰゲートウェイ（ＧＷ）装置、通信システム、方法および装置のプログラムを提供することを目的とする。
【課題を解決するための手段】
【００１０】
かかる目的を達成するために、本発明に係るフェムトセル用基地局は、機器識別子レジスタによる端末ＩＤのチェック機能を備えた通信システムに用いられるフェムトセル用基地局であって、予め定められた契機により、無線端末の端末ＩＤおよび当該端末ＩＤのチェック要求を含むＳＩＰ（Session Initiation Protocol）メッセージを生成する生成手段と、上記生成手段により生成されたＳＩＰメッセージを上記通信システムにおける上位装置宛に送信する第１の送信手段と、を備えたことを特徴とする。
【００１１】
また、本発明に係るゲートウェイシステムは、機器識別子レジスタによる端末ＩＤのチェック機能を備えた通信システムを構成するゲートウェイシステムであって、ＳＩＰによるメッセージを受信した際、受信したＳＩＰメッセージに端末ＩＤチェック要求を示す情報が含まれるか、ＳＭＳ（Short Message Service）を示す情報が含まれるかに基づいて、送信先がどの装置であるかを判別する第１の判別手段と、受信したＳＩＰメッセージの内容を上記第１の判別手段により判別された送信先に送信する第３の送信手段と、を備えたことを特徴とする。
【００１２】
また、本発明に係るＭＡＰゲートウェイ装置は、機器識別子レジスタによる端末ＩＤのチェック機能を備えた通信システムに用いられるＭＡＰ（Mobile Application Part）ゲートウェイ装置であって、受信したメッセージに端末ＩＤのチェック要求を示す情報が含まれるか否かを判別する第２の判別手段と、上記第２の判別手段により上記端末ＩＤのチェック要求を示す情報が含まれると判別された場合、該チェック要求を含む受信したメッセージに応じたメッセージを上記機器識別子レジスタに送信する第４の送信手段と、を備えたことを特徴とする。
【００１３】
また、本発明に係る通信システムは、機器識別子レジスタによる端末ＩＤのチェック機能を備えた通信システムであって、上述した本発明に係るフェムトセル用基地局と、上述した本発明に係るショートメッセージゲートウェイ装置と、上述した本発明に係るＭＡＰゲートウェイ装置と、を備えたことを特徴とする。
【００１４】
また、本発明に係る通信制御方法は、機器識別子レジスタによる端末ＩＤのチェック機能を備えた通信システムにおける通信制御方法であって、予め定められた契機により、無線端末の端末ＩＤおよび当該端末ＩＤのチェック要求を含むＳＩＰメッセージを上記通信システムにおけるフェムトセル用基地局が生成する生成工程と、上記生成工程により生成されたＳＩＰメッセージを上記通信システムにおける上位装置宛に上記フェムトセル用基地局が送信する第１の送信工程と、を備えたことを特徴とする。
【００１５】
また、本発明に係る他の通信制御方法は、機器識別子レジスタによる端末ＩＤのチェック機能を備えた通信システムにおける通信制御方法であって、上記通信システムを構成するゲートウェイシステムがＳＩＰによるメッセージを受信した際、受信したＳＩＰメッセージに端末ＩＤチェック要求を示す情報が含まれるか、ＳＭＳを示す情報が含まれるかに基づいて、送信先がどの装置であるかを判別する第１の判別工程と、受信したＳＩＰメッセージの内容を上記ゲートウェイシステムが上記第１の判別工程により判別された送信先に送信する第３の送信工程と、を備えたことを特徴とする。
【００１６】
また、本発明に係るさらに他の通信制御方法は、機器識別子レジスタによる端末ＩＤのチェック機能を備えた通信システムにおける通信制御方法であって、受信したメッセージに端末ＩＤのチェック要求を示す情報が含まれるか否かを上記通信システムにおけるＭＡＰゲートウェイ装置が判別する第２の判別工程と、上記第２の判別工程により上記端末ＩＤのチェック要求を示す情報が含まれると判別された場合、該チェック要求を含む受信したメッセージに応じたメッセージを上記ＭＡＰゲートウェイ装置が上記機器識別子レジスタに送信する第４の送信工程と、を備えたことを特徴とする。
【００１７】
また、本発明に係るフェムトセル用基地局のプログラムは、機器識別子レジスタによる端末ＩＤのチェック機能を備えた通信システムに用いられるフェムトセル用基地局のプログラムであって、予め定められた契機により、無線端末の端末ＩＤおよび当該端末ＩＤのチェック要求を含むＳＩＰメッセージを生成する生成処理と、上記生成処理により生成されたＳＩＰメッセージを上記通信システムにおける上位装置宛に送信する第１の送信処理と、を上記フェムトセル用基地局のコンピュータに実行させることを特徴とする。
【００１８】
また、本発明に係るショートメッセージゲートウェイ装置のプログラムは、機器識別子レジスタによる端末ＩＤのチェック機能を備えた通信システムに用いられるショートメッセージゲートウェイ装置のプログラムであって、ＳＩＰによるメッセージを受信した際、該メッセージが上記通信システムのコアネットワークに含まれるコア装置宛に送信するものであるか、該コアネットワークに含まれない装置宛に送信するものであるかを判別する第１の判別処理と、上記第１の判別処理により上記コア装置宛に送信すると判別されたＳＩＰメッセージの内容を該コア装置宛に送信する第３の送信処理と、を上記ショートメッセージゲートウェイ装置に実行させることを特徴とする。
【００１９】
また、本発明に係るＭＡＰゲートウェイ装置のプログラムは、機器識別子レジスタによる端末ＩＤのチェック機能を備えた通信システムに用いられるＭＡＰゲートウェイ装置のプログラムであって、受信したメッセージに端末ＩＤのチェック要求を示す情報が含まれるか否かを判別する第２の判別処理と、上記第２の判別処理により上記端末ＩＤのチェック要求を示す情報が含まれると判別された場合、該チェック要求を含む受信したメッセージに応じたメッセージを上記機器識別子レジスタに送信する第４の送信処理と、を上記ＭＡＰゲートウェイ装置のコンピュータに実行させることを特徴とする。
【発明の効果】
【００２０】
以上のように、本発明によれば、フェムトセル用基地局を用いる通信システムで、既存の公衆移動通信網と同様の無線端末の不正使用防止を実現することができる。
【図面の簡単な説明】
【００２１】
【図１】本発明の実施形態としての通信システムの構成例を示すブロック図である。
【図２】Femto AP２が送出するCheck IMEI情報を含むＳＩＰメッセージのパラメータ例を示す図である。
【図３】Check IMEIのための情報を送受信するためのＳＩＰメッセージについての関連データを示す図である。
【図４】Femto AP２からCheck IMEI情報を送信する契機となる位置登録のパターンを示す図である。
【図５】Check IMEI情報の送信を行った場合の各動作パターンを示す図である。
【図６】図５のＣａｓｅ＃１の場合の動作例を示すシーケンス図である。
【図７】Ｃａｓｅ＃１の場合におけるCheck IMEI Responseメッセージのパラメータ例を示す図である。
【図８】図５のＣａｓｅ＃２の場合の動作例を示すシーケンス図である。
【図９】Ｃａｓｅ＃２の場合におけるCheck IMEI Responseメッセージのパラメータ例を示す図である。
【図１０】図５のＣａｓｅ＃３の場合の動作例を示すシーケンス図である。
【図１１】図５のＣａｓｅ＃４の場合の動作例を示すシーケンス図である。
【図１２】図５のＣａｓｅ＃５の場合の動作例を示すシーケンス図である。
【図１３】図５のＣａｓｅ＃６の場合の動作例を示すシーケンス図である。
【図１４】本実施形態の通信システムの他の構成例を示すブロック図である。
【図１５】ＩＭＥＩの構成を示す図である。
【発明を実施するための形態】
【００２２】
次に、本発明に係るフェムトセル用基地局、ゲートウェイシステム、ＭＡＰゲートウェイ（ＧＷ）装置、通信システム、方法および装置のプログラムを適用した一実施形態について、図面を用いて詳細に説明する。
【００２３】
本実施形態は、フェムトセル用基地局（Femto AP；Femto Access Point）により無線端末であるＵＥの呼接続を行い、３ＧＰＰ（3rd Generation Partnership Project）などの規格に定められた範囲内で、既存の公衆移動通信網と同様のＩＭＥＩチェックを行い、無線端末の不正使用を防止することができる好適なものを例示している。
【００２４】
本実施形態の通信システムは、図１に示すように、Macro網と、Femto IMS（IP Multimedia subsystem）網と、を有して構成する。
【００２５】
Macro網は、公知の既存３Ｇ網である。Macro網は、ＵＥ（User Equipment）１と、Node-B９１と、ＲＮＣ（Radio Network Controller）９２と、ＭＳＣ（Mobile Services Switching Centre）９３と、ＶＬＲ（Visitor Location Register）９４と、ＳＭＳＣ（Short Message Service Center）９５と、ＨＬＲ（Home Location Register）８と、ＥＩＲ９と、を備えて構成される。
【００２６】
Macro網を構成するＵＥ１、Node-B９１、ＲＮＣ９２、ＭＳＣ９３、ＶＬＲ９４、ＳＭＳＣ９５、ＨＬＲ８、ＥＩＲ９は、３ＧＰＰ等の規格に準拠した処理を行う装置であるため、具体的な処理動作については省略する。既存のMacro網に利用されている技術については、例えば3GPP TS 33.234 V8.0.0（2007-12）等に開示されている。
【００２７】
Femto IMS網は、所定の通信エリアを構築するFemto AP２と、ネットワークを介して各Femto AP２を接続させるＰＤＧ（Packet Data Gateway）３とが、コアネットワークに接続されて構成される。
コアネットワークは、コール状態制御サーバ（ＣＳＣＦ；Call Session Control Function）４と、ＩＰショートメッセージゲートウェイ装置（ＩＰＳＭＧＷ；IP Short Message Gateway）５と、ＨＳＳ／ＭＡＰＧＷ（Home Subscriber Server / Mobile Application Part Gateway）（コア装置）６と、を含んで構成される。
【００２８】
Femto AP２は、半径数十メートル程度の狭い通信エリアをカバーする小型無線基地局である。
【００２９】
ＰＤＧ３は、メッセージを中継する装置である。
【００３０】
ＣＳＣＦ４は、ＳＩＰ（Session Initiation Protocol）を用いたセッション制御、管理、認証、ルーティング等の機能を有する。
【００３１】
ＩＰＳＭＧＷ５は、ショートメッセージの配信制御及び、付加サービス制御など制御情報の判断、配信制御を行う。
【００３２】
ＨＳＳ／ＭＡＰＧＷ６は、ＶＬＲ（Visitor Location Register）６１を有し、Femto IMS網に接続されるＵＥ１の加入者情報を管理する。ＨＳＳ／ＭＡＰＧＷ６は、ＵＥ１の加入者情報をＨＬＲ８から取得し、その取得したＵＥ１の加入者情報をＶＬＲ６１に格納して管理する。
【００３３】
また、ＨＳＳ／ＭＡＰＧＷ６は、ＤＩＡＭＥＴＥＲなどＭＡＰ以外のプロトコルによる回線とＭＡＰのプロトコルによる回線とを接続させ、このＭＡＰ以外のプロトコルによる信号とＭＡＰのプロトコルによる信号とを相互に変換するＭＡＰＧＷ機能を備える（ＭＡＰＧＷ装置）。このように、ＨＳＳ／ＭＡＰＧＷ６は、ＨＳＳがＭＡＰＧＷ機能を内部に備えて構成される。
【００３４】
ＡＡＡ７は、ＵＥ１とネットワーク間の認証処理を行う装置である。
【００３５】
ＥＩＲ９は、不正に使用されているとオペレータにより判定された無線端末のＩＭＥＩリストを、予めオペレータの入力により格納する。Check IMEI（ＩＭＥＩのチェック要求）の信号を受信すると、受信したＩＭＥＩが不正ＩＭＥＩリストに含まれるか否かをチェックし、その判定結果を返送する。
【００３６】
次に、本実施形態による動作の概要について説明する。
本実施形態の通信システムは、複数のFemto AP２を備え、ＵＥ１がこれらFemto AP間を移動できる構成となっている。このため、Femto AP２は、配下に在圏するＵＥ１の加入者情報（ＣＳ／ＰＳ）を管理する。ＣＳはCircuit Switchingであり、ＰＳはPacket Switchingである。
【００３７】
Femto AP２によるＵＥ１の加入者情報（ＣＳ／ＰＳ）の管理は、ＵＥ１がFemto AP２を介してＣＳの位置登録処理とＰＳの位置登録処理を、順次コアネットワーク側と行うことで実現する。
【００３８】
本実施形態では、このＣＳの位置登録として、ＵＥ１の位置情報をＶＬＲ６１などコアネットワークに登録させるトランザクションが完了したことを契機に、Femto AP２が、ＵＥ１のＩＭＥＩＳＶ（IMEI Software Version number）をＳＩＰのＭＥＳＳＡＧＥメソッドでのリクエストメッセージに含めてＩＰＳＭＧＷ５に送信する。そして、このＩＭＥＩＳＶをＥＩＲ９まで送信することにより、ＥＩＲ９でＩＭＥＩが不正端末のものでないかをチェックする。
【００３９】
ＩＭＥＩＳＶは、ＩＭＥＩと、機器のソフトウェアバージョンを含むものであり、ＩＭＥＩは、ＩＭＥＩＳＶから引き出され得るものである。
【００４０】
ＳＩＰメッセージには、リクエストの種類を示す各種のメソッドが定義されている。本実施形態のFemto AP２は、ＵＥ１の位置情報（ＣＳ）をコアネットワークに登録させるトランザクションが完了したタイミングで、ＩＭＥＩをＥＩＲ９でチェックするためのCheck IMEI情報を含むＳＩＰメッセージを生成し、ＭＥＳＳＡＧＥメソッドを用いてＩＰＳＭＧＷ５へ送信する。また、後述するＣＰＣ（Calling Party's Category）パラメータの値をnotificationとする。
このことにより、ＩＭＥＩＳＶを含むＳＩＰメッセージを、ＣＳＣＦ４を通過させてＩＰＳＭＧＷ５まで送信して中継させ、コアネットワークまで送信することができる。
【００４１】
こうしてＥＩＲ９でＩＭＥＩのチェックが行われ、ＵＥ１のＩＭＥＩが不正端末のものでないと判定された場合、そのままＵＥ１の位置登録が行われ、ＵＥ１がFemto IMS網内で使用可能となる。
【００４２】
ＵＥ１のＩＭＥＩが不正端末のものであると判定された場合、Femto AP２はDe-RegisterのＳＩＰメッセージをコアネットワーク宛に送信し、ＵＥ１の位置登録を削除させ、ＵＥ１がFemto IMS網内で使用不能となるようにする。
【００４３】
図２を参照して、ＩＭＥＩをＥＩＲ９でチェックするためにFemto AP２が送出するCheck IMEI情報を含むＳＩＰメッセージのＢｏｄｙ部におけるパラメータ例について説明する。
【００４４】
このパラメータは、既存３Ｇ網と同様のＵＥ１からの信号に３ＧＰＰ規定に基づく周知のフォーマットとして定められているパラメータに対応するものである。すなわち、このＵＥ１からの送信フォーマットにおけるUser Data部などを除いた部分の構成例を示すものである。
【００４５】
図２のパラメータ例では、ＩＭＥＩのチェック要求を行うメッセージであることを示す情報として、Protocol DiscriminatorがCheck IMEIを示す“e”に、Check IMEI Message Typeが、“Check IMEI Request”を示す“0x01”に、それぞれ設定されている。
【００４６】
また、パラメータとして、ＩＭＥＩＳＶの情報をＳＩＰメッセージのＢｏｄｙ部における不図示の領域に格納する。ＥＩＲ９でのＩＭＥＩチェックの際には、上述のようにＩＭＥＩＳＶからＩＭＥＩが導出される。
【００４７】
図３に、ＩＰＳＭＧＷ５に向けて、Femto AP２がCheck IMEIのための情報を送受信するためのＳＩＰメッセージにおけるヘッダ部およびＢｏｄｙ部の関連データを示す。
【００４８】
この図３に示すように、Femto AP２からCheck IMEIのために送信するＭＥＳＳＡＧＥメソッドでのＳＩＰメッセージは、送信先を示すＲ−ＵＲＩ（Request-Uniform Resource Identifier）を、上述のようにＩＰＳＭＧＷ５のアドレスとしている。
【００４９】
また、ＰＰＩ（P-Preferred ID）ヘッダにおけるＣＰＣパラメータの値をnotificationとすることで、上述のように、Check IMEI情報をＣＳＣＦ４で規制されることなく通過させ、ＩＰＳＭＧＷ５に送信する。
なお、Check IMEIのためのＳＩＰメッセージがFemto AP２からＣＳＣＦ４へ送信された後、ＰＰＩヘッダは、同じＣＰＣパラメータを含むＰＡＩ（P-Asserted-Identity）ヘッダにＣＳＣＦ４で変換され、このＳＩＰメッセージがＣＳＣＦ４からＩＰＳＭＧＷ５に送信される。
【００５０】
このように、ＣＰＣパラメータの値をnotificationとすることで、ＯＤＢ（Operator Determined Barring ）など所定の発信規制の有無に関わらず、ＳＩＰメッセージをコアネットワークまで送信させることができる。このため、ＣＰＣパラメータの値をＣＳＣＦ４に対する規制対象外識別情報として機能させることができる。
【００５１】
ここで、例えばＣＰＣパラメータの値をpriorityにしても、発信規制の有無に関わらずＣＳＣＦ４を通過させ、ＳＩＰメッセージをＩＰＳＭＧＷ５に送信することは可能である。しかしこの場合、優先加入者扱いとなってしまうため、例えば輻輳のための発信規制時においても発信規制が行われないなど、発信規制することが好ましい場合についても一部の規制がうまく行われない問題がある。
【００５２】
これに対し、本実施形態では、ＣＰＣパラメータの値をnotificationとすることにより、そうした規制の不具合もなくＳＩＰメッセージにＣＳＣＦを通過させることができる。このため、ＵＥ１からのCheck IMEI情報を含むよう生成されたＳＩＰメッセージを、所定の発信規制の有無に関わらずＩＰＳＭＧＷ５宛に送信することができる。
【００５３】
また、図３に示すＳＩＰメッセージのＢｏｄｙ部には、ＵＥ１から送信される情報におけるＴＩ（Transaction ID）部より後の情報、すなわちProtocol Discriminator部以降のMessage Type部やUser Data部を含む。このUser Data部には、上述のようにＩＭＥＩＳＶが格納される。
【００５４】
ここで、Short Message Service（ＳＭＳ）を利用するためのメッセージがＵＥ１から送信された場合、Femto AP２は、ＳＩＰヘッダのContent-Typeの値をＳＭＳを示すものにして、そのＳＩＰメッセージをＩＰＳＭＧＷ５に送信する。
【００５５】
ＩＰＳＭＧＷ５は、Femto AP２からのＳＩＰメッセージを受信すると、このContent-Typeの値により、受信したＳＩＰメッセージがＳＭＳを示すものであるか、Check IMEIおよび付加サービス（ＳＳ；supplementary service）制御を示すものであるかを判別する。
【００５６】
本実施形態としてのFemto IMS網では、Check IMEIの信号をＩＰＳＭＧＷ５からＨＳＳ／ＭＡＰＧＷ６まで流通させる際の流通制御が、ＳＳ制御の信号を流通させる場合と同様であるため、Check IMEIおよびＳＳ制御について、Content-Typeの値を共通のものとしている。
Content-Typeの値はこうした共通のものに限定されず、同様の流通制御をさせることができればCheck IMEI専用のものであってもよい。
【００５７】
受信したＳＩＰメッセージがＳＭＳを示すものである場合、ＩＰＳＭＧＷ５は送信先をＳＭＳＣ９５とするよう制御する。また、受信したＳＩＰメッセージがCheck IMEIおよびＳＳ制御を示すものである場合、ＩＰＳＭＧＷ５は送信先をＨＳＳ／ＭＡＰＧＷ６とするよう制御する。
【００５８】
次に、図４を参照して、Femto AP２からCheck IMEI情報を送信する契機となる位置登録のパターンについて説明する。
【００５９】
本実施形態としてのFemto IMS網では、ＵＥ１がMacro網からFemto AP２のセル内（通信圏内）に移動した場合、Femto IMS網内でのＵＥ１のFemto AP間移動、電源ＯＦＦ／ＯＮ切り換え、機種変更の場合に、Femto AP２はCheck IMEI情報の送信を行う。
【００６０】
既存３Ｇ網（Macro網）では、上述したFemto IMS網内でのＵＥ１のFemto AP間移動に対応するＭＳＣ配下のＢＴＳ（Base Transceiver Station）間移動の場合、上述したFemto IMS網内でのＵＥ１の電源ＯＦＦ／ＯＮ切り換えに対応するＭＳＣ内在圏中での電源ＯＦＦ／ＯＮ切り換えの場合に、Check IMEI情報の送信を行わない。
既存３Ｇ網では、ＭＳＣ９３のＶＬＲ９４が各ＵＥ１の管理を行う構成となっているため、ＶＬＲ９４におけるＩＭＥＩＳＶが不変である場合には改めてCheck IMEIを行う必要がないと考えられるためである。
【００６１】
本実施形態のFemto IMS網では、Femto AP２が、配下に在圏するＵＥ１の加入者情報（ＣＳ／ＰＳ）を管理する構成であるため、上述したFemto IMS網内でのＵＥ１のFemto AP間移動の場合や、電源ＯＦＦ／ＯＮ切り換えの場合にも、Check IMEI情報の送信を行う。これらの場合にも、Femto AP配下に在圏するＵＥ１が入れ替わっている可能性が考えられるためである。
【００６２】
次に、図５を参照して、Check IMEI情報の送信を行った場合の各動作パターンについて説明する。
本実施形態としてのFemto IMS網では、Femto AP２がCheck IMEI情報の送信を行う場合の動作例として、ＥＩＲ９による判定結果やFemto IMS網内の通信状況などに応じて、この図５に示す各動作パターンが想定しうる。
【００６３】
このため、図５のＣａｓｅ＃１〜＃６の各動作パターンについて、以下にシーケンス図を参照して動作を説明する。
【００６４】
まず、図５のＣａｓｅ＃１の場合、すなわち、ＵＥ１のＩＭＥＩが不正なものでなく、Femto AP２がCheck IMEI情報を送信した結果、ＥＩＲ９から不正でない旨のチェック結果メッセージが正常応答として返送された場合の動作例について、図６のシーケンス図を参照して説明する。
【００６５】
ＵＥ１がFemto AP２のセル内に移動した場合など、ＵＥ１が新規にFemto AP２の配下に在圏しようとする場合、ＵＥ１はＣＳサービスの位置登録を開始することになる（初回位置登録）。このため、まずＵＥ１は、Femto AP２に無線通信接続すると（ステップＡ１）、Location Update RequestをFemto AP２に送信する（ステップＡ２）。
【００６６】
Femto AP２は、Location Update Requestを受信すると、ＵＥ１にＩＭＳＩについてのID-Requestを送信する。ＵＥ１がＩＭＳＩを含むID-ResponseをFemto AP２に送信すると（ステップＡ３）、Femto AP２は、ＩＭＥＩＳＶについてのID-Requestを送信する。ＵＥ１は、ＩＭＥＩＳＶを含むID-ResponseをFemto AP２に返信する（ステップＡ４）。
【００６７】
Femto AP２は、ID-Responseを受信すると、ＰＤＧ３との間でIKE SA（Internet Key Exchange-Security Authentication）を確立し（ステップＡ５）、ＡＰＮ（Access Point Name）と、ＮＡＩ（Network Access Identifier）とを、IKE-AUTH Requestに含めてＰＤＧ３に送信する。IKE-AUTHは、Internet Key Exchange-AUTHenticationである。ＡＰＮは、ネットワークの連結ポイントを特定するための情報である。ＮＡＩは、ネットワークのアクセスを特定するための情報である。
【００６８】
ここで、Femto AP２は、Location Update RequestをＵＥ１から受信しているため、ＣＳサービスの位置登録と判断し、"0CS0<UE#IMSI>/<Femto#IMSI>@realmname"のＮＡＩをＰＤＧ３に送信する。"0CS0"は、ＣＳサービスの位置登録である旨を意味する情報である。"<UE#IMSI>"は、ＵＥを特定するための情報であり、ＵＥ１から受け付けたID-Responseに含まれているIMSI.UEである。"<Femto#IMSI>"は、Femto AP２を特定するための情報である。
【００６９】
ＰＤＧ３は、IKE-AUTH Requestを受信した場合に、Dia-EAP-RequestをＡＡＡ７に送信する（ステップＡ６）。Dia-EAPは、Diameter-Extensible Authentication Protocolである。
【００７０】
ＡＡＡ７は、Dia-EAP-Requestを受信した場合に、Dia-EAP-Requestに含まれているＮＡＩを基に、ＣＳサービスの位置登録と判断する。このため、Dia-Wx-MARにIMSI.UEを含めてＨＳＳ／ＭＡＰＧＷ６に送信する（ステップＡ７）。Dia-Wx-MARは、Diameter-Wx-Multimedia Authentication Requestである。
【００７１】
ＨＳＳ／ＭＡＰＧＷ６は、Dia-Wx-MARを受信した場合に、MAP-SAI invocation[CS]をＨＬＲ８に送信する（ステップＡ８）。MAP-SAIは、MAP-Send Authentication Informationである。［CS］は、Circuit Switchingの意味である。ＨＳＳ／ＭＡＰＧＷ６は、Dia-Wx-MARに含まれているIMSI.UEをMAP-SAI invocation[CS]に含めて送信する。
【００７２】
ＨＬＲ８は、MAP-SAI invocation[CS]を受信した場合に、MAP-SAI AckをＨＳＳ／ＭＡＰＧＷ６に送信する（ステップＡ９）。ＨＬＲ８は、MAP-SAI invocation[CS]に含まれているIMSI.UEに対応するRAND/AUTN/CK/IK/XRESを取得し、その取得したRAND/AUTN/CK/IK/XRESをMAP-SAI Ackに含めて送信する。
【００７３】
RAND/AUTN/CK/IK/XRESは、３ＧＰＰに準拠した情報である。RANDは、Random challengeであり、AUTNは、Authentication Tokenであり、CKは、Cipher Keyであり、IKは、Integrity Keyであり、XRESは、Expected RESponseである。
【００７４】
なお、本動作例では、ＨＬＲ８は、RAND/AUTN/CK/IK/XRESをMAP-SAI Ackに含めて送信している（EAP-AKA認証）。しかし、RAND/AUTN/KC/RESをMAP-SAI Ackに含めて送信する動作であってもよい（EAP-SIM認証）。EAP-AKA認証（UMTS認証)、EAP-SIM認証（GSM認証)は、ＵＥ１の加入者が契約しているNWの能力によりＨＬＲ８が選択することになる。
【００７５】
ＨＳＳ／ＭＡＰＧＷ６は、MAP-SAI Ackを受信した場合に、Dia-Wx-MAAをＡＡＡ７に送信する（ステップＡ１０）。Dia-Wx-MAAは、Diameter-Wx-Multimedia Authentication Answerである。ＨＳＳ／ＭＡＰＧＷ６は、MAP-SAI Ackに含まれているRAND/AUTN/CK/IK/XRESをDia-Wx-MAAに含めて送信する。
【００７６】
ＡＡＡ７は、Dia-Wx-MAAを受信した場合に、Dia-EAP-AnswerをＰＤＧ３に送信する。ＡＡＡ７は、Dia-Wx-MAAに含まれているRAND/AUTN/CK/IKをDia-EAP-Answerに含めて送信する。
【００７７】
ＰＤＧ３は、Dia-EAP-Answerを受信した場合に、IKE-AUTH ResponseをFemto AP２に送信する（ステップＡ１１）。ＰＤＧ３は、EAP-Request/AKA-Challengeと、Dia-EAP-Answerに含まれているRAND/AUTN/CK/IKと、をIKE-AUTH Responseに含めて送信する。AKAは、Authentication and Key Agreementである。
【００７８】
Femto AP２は、IKE-AUTH Responseを受信した場合に、Authentication RequestをＵＥ１に送信する（ステップＡ１２）。Femto AP２は、IKE-AUTH Responseに含まれているRAND/AUTNをAuthentication Requestに含めて送信する。
【００７９】
ＵＥ１は、Authentication Requestを受信した場合に、そのAuthentication Requestに含まれているRAND/AUTNを基に、認証演算を行う。認証演算は、３ＧＰＰに準拠した方法で行われる。
【００８０】
ＵＥ１は、ＲＥＳを算出し、その算出したＲＥＳをAuthentication Responseに含めてFemto AP２に送信する（ステップＡ１３）。ＲＥＳの算出は、３ＧＰＰに準拠した方法で行う。
【００８１】
Femto AP２は、Authentication Responseを受信した場合に、IKE-AUTH RequestをＰＤＧ３に送信する。Femto AP２は、EAP-Response/AKA-Challengeと、Authentication Responseに含まれているＲＥＳと、をIKE-AUTH Requestに含めて送信する。
【００８２】
ＰＤＧ３は、IKE-AUTH Requestを受信した場合に、Dia-EAP-RequestをＡＡＡ７に送信する（ステップＡ１４）。ＰＤＧ３は、ＭＡＣ（Message Authentication Code）を算出し、ＲＥＳ、ＭＡＣをDia-EAP-Requestに含めて送信する。ＭＡＣの算出は、３ＧＰＰに準拠した方法で行う。
【００８３】
ＡＡＡ７は、Dia-EAP-Requestを受信した場合に、ＵＥ認証を行う。ＵＥ認証は、３ＧＰＰに準拠した方法で行う。ＡＡＡ７は、ＵＥ認証が成功した場合に、Dia-EAP-AnswerをＰＤＧ３に送信する。ＡＡＡ７は、EAP-SuccessをDia-EAP-Answerに含めて送信する。
【００８４】
ＰＤＧ３は、Dia-EAP-Answerを受信した場合に、IKE-AUTH ResponseをFemto AP２に送信する（ステップＡ１５）。ＰＤＧ３は、EAP-SuccessをIKE-AUTH Responseに含めて送信する。
【００８５】
こうしてステップＡ５〜Ａ１５による認証のトランザクションが完了すると、Femto AP２とＵＥ１との通信は、Security Mode Commandを用いる３ＧＰＰに準拠した方法での秘匿処理で行われる。
【００８６】
また、Femto AP２は、Message TypeがRegisterであるSIP-RegisterをＣＳＣＦ４に送信する（ステップＡ１７）。Femto AP２は、IMSI.UEをこのSIP-Registerに含めてＣＳＣＦ４に送信する。
【００８７】
ＣＳＣＦ４は、SIP-Registerを受信した場合に、新規のＵＥ１の加入者情報（Femto AP２のRegister情報）のCall IDであるSIP-Registerを受信したと判断する。この場合、ＣＳＣＦ４は、Macro網からFemto APへの移動や電源ＯＮなどによるＵＥ１の新規位置登録と判断し、Dia-Cx-SARをＨＳＳ／ＭＡＰＧＷ６に送信する（ステップＡ１８）。SARは、Server-Assignment-Requestである。ＣＳＣＦ４は、IMSI.UEをDia-Cx-SARに含めて送信する。
【００８８】
ＨＳＳ／ＭＡＰＧＷ６は、Dia-Cx-SARを受信した場合に、MAP-Update Location invocation［CS］をＨＬＲ８に送信する（ステップＡ１９）。ＨＳＳ／ＭＡＰＧＷ６は、IMSI.UEをMAP-Update Location invocationに含めて送信する。
【００８９】
ＨＬＲ８は、MAP-Update Location invocationを受信した場合に、ＵＥ１の加入者情報を３ＧＰＰに準拠した方法で登録し（ステップＡ２９）、MAP-Insert Subscriber Data invocationをＨＳＳ／ＭＡＰＧＷ６に送信する（ステップＡ２０）。ＨＬＲ８は、加入者情報をMAP-Insert Subscriber Data invocationに含めて送信する。
【００９０】
ＨＳＳ／ＭＡＰＧＷ６は、MAP-Insert Subscriber Data invocationを受信した場合に、そのMAP-Insert Subscriber Data invocationに含まれる加入者情報を基に、ＵＥ１の加入者情報を作成する。ＨＳＳ／ＭＡＰＧＷ６は、ＵＥ１の加入者情報をＶＬＲ６１に登録し、ＵＥ１の加入者情報（ＣＳ）をＶＬＲ６１で管理する。この場合、ＨＳＳ／ＭＡＰＧＷ６は、ＵＥ１の加入者情報（ＣＳ）をFemto AP２の情報と対応付けてＶＬＲ６１で管理する。（ステップＡ３０）。
【００９１】
次に、ＨＳＳ／ＭＡＰＧＷ６は、MAP-Insert Subscriber Data AckをＨＬＲ８に送信する（ステップＡ２１）。
【００９２】
ＨＬＲ８は、MAP-Insert Subscriber Data Ackを受信した場合に、MAP-Update Location AckをＨＳＳ／ＭＡＰＧＷ６に送信する（ステップＡ２２）。
【００９３】
ＨＳＳ／ＭＡＰＧＷ６は、MAP-Update Location Ackを受信した場合に、Dia-Cx-SAAをＣＳＣＦ４に送信する（ステップＡ２３）。SAAは、Server-Assignment-Answerである。ＨＳＳ／ＭＡＰＧＷ６は、MSISDNをDia-Cx-SAAに含めて送信する。
【００９４】
ＣＳＣＦ４は、Dia-Cx-SAAを受信した場合に、MSISDNを含めたSIP-200 OKをFemto AP２に送信する（ステップＡ２４）。また、ＣＳＣＦ４は、Femto AP２から受信したSIP-Registerの情報をＵＥ１の加入者情報（ＣＳ）と対応付けて管理する。これにより、ＣＳＣＦ４は、ＵＥ１の加入者情報（ＣＳ）をFemto AP２に対応付けて管理することになる（ステップＡ３１）。
【００９５】
また、ＨＳＳ／ＭＡＰＧＷ６は、上述したステップＡ１９〜Ａ２２の信号送受信と同様の送受信を、ＧＰＲＳ（General Packet Radio Services）でのＰＳについても行う（ステップＡ２５〜Ａ２８）。
【００９６】
こうしてステップＡ１７〜Ａ２４によるＵＥ１の位置情報（ＣＳ）をコアネットワークに登録させるトランザクションが完了すると、Femto AP２は、ＩＭＥＩＳＶを含むCheck IMEIのＳＩＰメッセージを生成し、ＭＥＳＳＡＧＥメソッドを用いてＩＰＳＭＧＷ５へ送信する（ステップＡ３２）。
このステップＡ３２で送信するCheck IMEIのＳＩＰメッセージのパラメータは、例えば上述した図２に示すものとなる。
【００９７】
ＩＰＳＭＧＷ５は、Femto AP２からＭＥＳＳＡＧＥメソッドのＳＩＰメッセージによりCheck IMEI情報を受信すると、Content-Typeの値がCheck IMEIおよびＳＳ制御を示す“application/vnd.3gpp.adtap”であるため、受信した内容をメッセージとして送信する送信先がショートメッセージの場合のＳＭＳＣ９５でなく、ＨＳＳ／ＭＡＰＧＷ６であると判別する。このため、ＩＰＳＭＧＷ５は、受信した内容を例えばＤＩＡＭＥＴＥＲなどの予め定められたＩＰベースのプロトコルのメッセージにマッピングし、こうして変換されたプロトコルのメッセージをＨＳＳ／ＭＡＰＧＷ６に送信する（ステップＡ３３）。
【００９８】
また、ＩＰＳＭＧＷ５は、Femto AP２に202 AcceptのＳＩＰメッセージを返信する（ステップＡ３４）。
【００９９】
ＨＳＳ／ＭＡＰＧＷ６は、ＩＰＳＭＧＷ５からCheck IMEI情報を受信すると、ＭＡＰＧＷ機能により、受信したメッセージのProtocol DiscriminatorがCheck IMEIを示すものであることから、メッセージの送信先をＥＩＲ９と判別する。そして、受信したメッセージ内容、すなわちCheck IMEIに応じたメソッドのメッセージであるCheck IMEI-invに受信したＩＭＥＩＳＶを含めてＥＩＲ９に送信する（ステップＡ３５）。
【０１００】
ＥＩＲ９は、ＩＭＥＩＳＶを含むCheck IMEI情報を受信すると、そのＩＭＥＩＳＶから導出されるＩＭＥＩにより、装置内に格納する不正ＩＭＥＩリストと照合する。受信したCheck IMEI情報から導出されたＩＭＥＩが不正ＩＭＥＩリストに含まれていない場合、“White Listed”を示すCheck IMEI-ackをＨＳＳ／ＭＡＰＧＷ６に送信する（ステップＡ３６）。
【０１０１】
また、ＥＩＲ９がGray Listを示すＩＭＥＩリストを備え、受信したCheck IMEI情報から導出されたＩＭＥＩがそのGray Listを示すＩＭＥＩリストに含まれる場合、“Gray Listed”を示すCheck IMEI-ackをＨＳＳ／ＭＡＰＧＷ６に送信する。
【０１０２】
ＨＳＳ／ＭＡＰＧＷ６は、ＥＩＲ９からCheck IMEI-ackを受信すると、ＭＡＰＧＷ機能により、受信した内容をＤＩＡＭＥＴＥＲなどのプロトコルのメッセージにマッピングし、こうして変換されたプロトコルのメッセージをＩＰＳＭＧＷ５に送信する（ステップＡ３７）。
【０１０３】
ＩＰＳＭＧＷ５は、ＨＳＳ／ＭＡＰＧＷ６からDia-Check IMEI-ackを受信すると、図７に例示するパラメータのように、受信した内容をＳＩＰメッセージ内にマッピングする。図７の例では、Protocol DiscriminatorがCheck IMEIを示す“e”に、ＥＩＲ９からのチェック結果を示すCheck IMEI Message Typeが、“White Listed”または“Gray Listed”を示す“0x02”に、それぞれマッピングされる。
ＩＰＳＭＧＷ５は、こうして変換されたＭＥＳＳＡＧＥメソッドのCheck IMEI ResponseメッセージをFemto AP２に送信する（ステップＡ３８）。
【０１０４】
Femto AP２は、ＩＰＳＭＧＷ５からＭＥＳＳＡＧＥメソッドのCheck IMEI Responseメッセージを受信すると、ＩＰＳＭＧＷ５に200 OKのＳＩＰメッセージを返信する（ステップＡ３９）。
【０１０５】
そして、Femto AP２は、ＴＭＳＩ（Temporary Mobile Subscriber Identities）の補捉を３ＧＰＰに準拠した方法で行い、Security Mode Commandの秘匿処理により、捕捉したＴＭＳＩをLocation Update Acceptに含めてＵＥ１に送信する（ステップＡ４０）。
【０１０６】
ＵＥ１は、Location Update Acceptを受信した場合に、Femto AP２で生成されたＴＭＳＩを取得し、TMSI Reallocation CompleteをFemto AP２に送信する。
Femto AP２は、TMSI Reallocation Completeを受信した場合に、ＵＥ１のIMSI.UEとＴＭＳＩとを対応付けて管理する。これにより、FAP#2は、ＵＥ１の加入者情報（ＣＳ）を管理することになる（ステップＡ４２）。
【０１０７】
この後、ＰＳの位置登録処理などが行われると、Femto AP２はＵＥ１との回線接続を終了する（ステップＡ４１）。
【０１０８】
以上のように、ＵＥ１のＩＭＥＩがＥＩＲ９の不正ＩＭＥＩリストに含まれない場合、ＵＥ１について位置情報登録が正常に行われ、Femto IMS網内でＵＥ１が正常に使用可能となる。
【０１０９】
次に、図５のＣａｓｅ＃２の場合、すなわち、ＵＥ１のＩＭＥＩがＥＩＲ９の不正ＩＭＥＩリストに含まれるものであり、Femto AP２がCheck IMEI情報を送信した結果、ＥＩＲ９から不正ＩＭＥＩである旨のチェック結果が正常応答として返送された場合の動作例について、図８のシーケンス図を参照して説明する。
【０１１０】
ステップＢ１〜Ｂ３５までの動作については、上述した図５のＣａｓｅ＃１の場合、すなわち図６のシーケンス図で説明したステップＡ１〜Ａ３５までの動作と同様の動作である。
【０１１１】
ＥＩＲ９は、ステップＢ３５の動作により、ＩＭＥＩＳＶを含むCheck IMEI情報を受信すると、そのＩＭＥＩＳＶから導出されるＩＭＥＩにより、装置内に格納する不正ＩＭＥＩリストと照合する。受信したCheck IMEI情報から導出されたＩＭＥＩが不正ＩＭＥＩリストに含まれている場合、“Black Listed”を示すCheck IMEI-ackをＨＳＳ／ＭＡＰＧＷ６に送信する（ステップＢ３６）。
【０１１２】
ＨＳＳ／ＭＡＰＧＷ６は、ＥＩＲ９からCheck IMEI-ackを受信すると、ＭＡＰＧＷ機能により、受信した内容をＤＩＡＭＥＴＥＲなどのプロトコルのメッセージにマッピングし、こうして変換されたプロトコルのメッセージをＩＰＳＭＧＷ５に送信する（ステップＢ３７）。
【０１１３】
ＩＰＳＭＧＷ５は、ＨＳＳ／ＭＡＰＧＷ６からDia-Check IMEI-ackを受信すると、図９に例示するパラメータのように、受信した内容をＳＩＰメッセージ内にマッピングする。図９の例では、Protocol DiscriminatorがCheck IMEIを示す“e”に、ＥＩＲ９からのチェック結果を示すCheck IMEI Message Typeが、“Black Listed”を示す“0x03”に、それぞれマッピングされる。
ＩＰＳＭＧＷ５は、こうして変換されたＭＥＳＳＡＧＥメソッドのCheck IMEI ResponseメッセージをFemto AP２に送信する（ステップB３８）。
【０１１４】
Femto AP２は、ＩＰＳＭＧＷ５からＭＥＳＳＡＧＥメソッドのCheck IMEI Responseメッセージを受信すると、ＩＰＳＭＧＷ５に200 OKのＳＩＰメッセージを返信する（ステップＡ３９）。
【０１１５】
そして、Femto AP２は、受信したＭＥＳＳＡＧＥメソッドのCheck IMEI Responseメッセージにおけるチェック結果が“Black Listed”を示すものであるため、Location Update RejectのメッセージにCV#6: Illegal MEを含めてＵＥ１に送信する（ステップＢ４０）。ＣＶはcause valueの意味であり、エラーの原因を示す。
【０１１６】
Femto AP２は、ＵＥ１との回線接続を終了すると（ステップＢ４１）、Message TypeがDe-RegisterであるSIP-De-RegisterをＣＳＣＦ４に送信する（ステップＢ４２）。Femto AP２は、IMSI.UEをこのSIP-De-Registerに含めてＣＳＣＦ４に送信する。
【０１１７】
ＣＳＣＦ４は、SIP-De-Registerを受信すると、登録済みＵＥ１加入者情報（Femto AP２のRegister情報）の削除を受信したと判断し、その位置情報削除の情報を含むDia-Cx-SARをＨＳＳ／ＭＡＰＧＷ６に送信する（ステップＢ４３）。
【０１１８】
ＨＳＳ／ＭＡＰＧＷ６は、位置情報削除の情報を含むDia-Cx-SARを受信すると、ＨＬＲ８にPurge MSを送信する。ＨＬＲ８は、Purge MSを受信すると、受信したＵＥ１の位置登録情報を削除し（ステップＢ４７）、Purge MS-ackをＨＳＳ／ＭＡＰＧＷ６に送信する。ＨＳＳ／ＭＡＰＧＷ６は、Purge MS-ackを受信すると、ＶＬＲ６１からＵＥ１の位置登録情報を削除する（ステップＢ４８）。
また、ＨＳＳ／ＭＡＰＧＷ６は、ＰＳについても同様のPurge MS送受信をＨＬＲ９に対して行う（ステップＢ４４）。
【０１１９】
ＨＳＳ／ＭＡＰＧＷ６は、位置情報削除の情報を含むDia-Cx-SAAをＣＳＣＦ４に送信する（ステップＢ４５）。
【０１２０】
ＣＳＣＦ４は、位置情報削除の情報を含むDia-Cx-SAAを受信すると、ＵＥ１についての加入者情報を削除し（ステップＢ４９）、SIP-200 OKをFemto AP２に送信する（ステップＢ４９）。
【０１２１】
以上のように、ＵＥ１のＩＭＥＩがＥＩＲ９の不正ＩＭＥＩリストに含まれる場合、Femto AP２はＵＥ１の加入者情報を管理せず、SIP-De-Registerにより、加入者情報をＣＳＣＦ４、ＶＬＲ６１、ＨＬＲ８から削除する。このため、そのＵＥ１は、Femto IMS網内では使用不能となる。
【０１２２】
次に、図５のＣａｓｅ＃３の場合、すなわち、Femto AP２からCheck IMEI情報を送信した結果、ＥＩＲ９からエラーを示すメッセージが返送された場合の動作例について、図１０のシーケンス図を参照して説明する。
【０１２３】
まず、上述した図６におけるステップＡ１〜Ａ３５と同様の動作を行い、ＨＳＳ／ＭＡＰＧＷ６がCheck IMEI-invをＥＩＲ９に送信する。
【０１２４】
ここで、ＥＩＲ９でのＩＭＥＩチェックにより何らかのエラーが発生し、unknown Equipmentを示すMAP U-Errorまたは、SystemFailureを示すMAP U-ErrorがＨＳＳ／ＭＡＰＧＷ６に送信される（ステップＣ３６）。
【０１２５】
ＨＳＳ／ＭＡＰＧＷ６は、ＥＩＲ９からMAP U-Errorを受信すると、ＭＡＰＧＷ機能により、受信した内容をＤＩＡＭＥＴＥＲなどのプロトコルのメッセージにマッピングし、こうして変換されたプロトコルのメッセージをＩＰＳＭＧＷ５に送信する（ステップＣ３７）。
【０１２６】
ＩＰＳＭＧＷ５は、ＨＳＳ／ＭＡＰＧＷ６からDia-U-Errorを受信すると、unknown EquipmentでのMAP Errorの場合であっても、System FailureでのMAP Errorの場合であっても、上述した図７の例と同様に、CheckIMEI Accept (White/Grey)を示すパラメータが設定されたＭＥＳＳＡＧＥメソッドのＳＩＰメッセージ内に、受信した内容をマッピングする。
【０１２７】
ＩＰＳＭＧＷ５は、こうして変換されたＭＥＳＳＡＧＥメソッドのＳＩＰメッセージをFemto AP２に送信する（ステップＣ３８）。
【０１２８】
Femto AP２は、ＩＰＳＭＧＷ５からＭＥＳＳＡＧＥメソッドのＳＩＰメッセージを受信すると、ＩＰＳＭＧＷ５に200 OKのＳＩＰメッセージを返信する（ステップＣ３９）。
【０１２９】
そして、Femto AP２は、受信したＭＥＳＳＡＧＥメソッドのＳＩＰメッセージに含まれる情報が“Black Listed”を示すチェック結果でないため、ＴＭＳＩの補捉を３ＧＰＰに準拠した方法で行い、Security Mode Commandの秘匿処理により、捕捉したＴＭＳＩをLocation Update Acceptに含めてＵＥ１に送信する（ステップＣ４０）。
【０１３０】
以上のように、Femto AP２からCheck IMEI情報を送信した結果、ＥＩＲ９からエラーを示すメッセージが返送された場合についても、準正常系動作として、ＵＥ１について位置情報登録が正常に行われ、Femto IMS網内でＵＥ１が正常に使用可能となる。
【０１３１】
次に、図５のＣａｓｅ＃４の場合、すなわち、ＥＩＲ９にCheck IMEI情報を送信しても、ＨＳＳ／ＭＡＰＧＷ６に応答信号が送信されず、タイムアウトとなった場合の動作例について、図１１のシーケンス図を参照して説明する。
【０１３２】
まず、上述した図６におけるステップＡ１〜Ａ３５と同様の動作を行い、ＨＳＳ／ＭＡＰＧＷ６がCheck IMEI-invをＥＩＲ９に送信する。この送信時に、ＨＳＳ／ＭＡＰＧＷ６のタイマがカウントを開始する。
【０１３３】
ここで、何らかのエラー発生などにより、ＥＩＲ９からの応答信号が受信されないまま、ＨＳＳ／ＭＡＰＧＷ６のタイマでタイムアウト待ちカウントが満了になると（ステップＤ３６）、ＨＳＳ／ＭＡＰＧＷ６は、ＭＡＰＧＷ機能により、応答待ちタイムアウトの旨をＤＩＡＭＥＴＥＲなどのプロトコルのメッセージにマッピングし、ＩＰＳＭＧＷ５に送信する（ステップＤ３７）。
【０１３４】
ＩＰＳＭＧＷ５は、ＨＳＳ／ＭＡＰＧＷ６から応答待ちタイムアウトの旨を受信すると、上述した図７の例と同様に、CheckIMEI Accept (White/Grey)を示すパラメータが設定されたＭＥＳＳＡＧＥメソッドのＳＩＰメッセージ内に、受信した内容をマッピングする。
【０１３５】
ＩＰＳＭＧＷ５は、こうして変換されたＭＥＳＳＡＧＥメソッドのＳＩＰメッセージをFemto AP２に送信する（ステップＤ３８）。
【０１３６】
Femto AP２は、ＩＰＳＭＧＷ５からＭＥＳＳＡＧＥメソッドのＳＩＰメッセージを受信すると、ＩＰＳＭＧＷ５に200 OKのＳＩＰメッセージを返信する（ステップＤ３９）。
【０１３７】
そして、Femto AP２は、受信したＭＥＳＳＡＧＥメソッドのＳＩＰメッセージに含まれる情報が“Black Listed”を示すチェック結果でないため、ＴＭＳＩの補捉を３ＧＰＰに準拠した方法で行い、Security Mode Commandの秘匿処理により、捕捉したＴＭＳＩをLocation Update Acceptに含めてＵＥ１に送信する（ステップＤ４０）。
【０１３８】
以上のように、Femto AP２からCheck IMEI情報を送信した結果、ＨＳＳ／ＭＡＰＧＷ６で応答信号待ちタイムアウトとなった場合であっても、準正常系動作として、ＵＥ１について位置情報登録が正常に行われ、Femto IMS網内でＵＥ１が正常に使用可能となる。
【０１３９】
次に、図５のＣａｓｅ＃５の場合、すなわち、Femto AP２からCheck IMEI情報を送信しても、Femto AP２まで応答信号が送信されず、タイムアウトとなった場合の動作例について、図１２のシーケンス図を参照して説明する。
【０１４０】
まず、上述した図６におけるステップＡ１〜Ａ３２と同様の動作を行い、Femto AP２が、ＭＥＳＳＡＧＥメソッドによるCheck IMEIのＳＩＰメッセージをＩＰＳＭＧＷ５へ送信する（ステップＡ３２）。この送信時に、Femto AP２のタイマがカウントを開始する。
【０１４１】
ここで、上述した図６におけるステップＡ３３〜Ａ３６の動作が行われていたとしても、何らかのエラー発生などにより、ＩＰＳＭＧＷ５やＣＳＣＦ４でもＳＩＰタイムアウトとなることが考えられる。こうしてＩＰＳＭＧＷ５からの応答信号が受信されないまま、Femto AP２のタイマでタイムアウト待ちカウントが満了になると（ステップＥ３７）、Femto AP２は、“Black Listed”のチェック結果を受信しているのでないため、ＴＭＳＩの補捉を３ＧＰＰに準拠した方法で行い、Security Mode Commandの秘匿処理により、捕捉したＴＭＳＩをLocation Update Acceptに含めてＵＥ１に送信する（ステップＥ３８）。
【０１４２】
以上のように、Femto AP２からCheck IMEI情報を送信した後、応答信号待ちのままＳＩＰタイムアウトとなった場合であっても、準正常系動作として、ＵＥ１について位置情報登録が正常に行われ、Femto IMS網内でＵＥ１が正常に使用可能となる。
【０１４３】
次に、図５のＣａｓｅ＃６の場合、すなわち、サーバの問題によるエラーメッセージをFemto AP２が受信した場合の動作例について、図１３のシーケンス図を参照して説明する。ここでは、ＩＰＳＭＧＷ５でトラフィックが輻輳状態となり、呼規制が行われている場合の例について説明する。
【０１４４】
まず、上述した図６におけるステップＡ１〜Ａ３２と同様の動作を行い、Femto AP２が、ＭＥＳＳＡＧＥメソッドによるCheck IMEIのＳＩＰメッセージをＩＰＳＭＧＷ５へ送信する（ステップＡ３２）。
【０１４５】
ＩＰＳＭＧＷ５は、メッセージ処理が輻輳状態であり、呼規制を行っているため、Femto AP２からのＳＩＰメッセージに対してSIP-503 Service Unavailableを返送する（ステップＦ３３）。
【０１４６】
Femto AP２は、SIP-503 Service Unavailableを受信すると、“Black Listed”のチェック結果を受信しているのでないため、ＴＭＳＩの補捉を３ＧＰＰに準拠した方法で行い、Security Mode Commandの秘匿処理により、捕捉したＴＭＳＩをLocation Update Acceptに含めてＵＥ１に送信する（ステップＦ３４）。
【０１４７】
以上のように、Femto AP２からCheck IMEI情報を送信した後、輻輳状態により呼規制が行われている場合であっても、準正常系動作として、ＵＥ１について位置情報登録が正常に行われ、Femto IMS網内でＵＥ１が正常に使用可能となる。
【０１４８】
以上説明したように、上述した実施形態によれば、ＵＥ１がFemto AP２の配下に在圏する場合であっても、Femto AP２からのCheck IMEIの情報をコアネットワークに認識させることができる。このため、ＵＥ１がMacro網のNode-B９１配下に在圏する場合と同様に不正ＩＭＥＩのチェックを行い、無線端末の不正使用防止を実現することができる。
【０１４９】
このように、本実施形態によれば、Femto AP２を備えたFemto IMS網で、既存３Ｇ網と同様の不正ＩＭＥＩのチェック、無線端末の不正使用防止を実現することができる。
【０１５０】
また、本実施形態では、Femto AP２からのCheck IMEI情報を含むＳＩＰメッセージで、ＣＰＣパラメータの値をnotificationとすることにより、ＯＤＢによる発信規制がある場合であっても不具合を発生させることなく、Femto AP２からのCheck IMEI情報を、ＣＳＣＦを通過させてＩＰＳＭＧＷ５宛に送信することができる。
【０１５１】
また、本実施形態では、Femto AP２からのCheck IMEI情報を含むＳＩＰメッセージでＭＥＳＳＡＧＥメソッドを用い、ＳＩＰヘッダにおけるContent-Typeの値をCheck IMEIおよびＳＳ制御を示すものとすることにより、Check IMEI情報を含むＳＩＰメッセージをＩＰＳＭＧＷ５に認識させ、ＥＩＲ９宛にスムーズに流通させることができる。
【０１５２】
なお、上述した各実施形態は本発明の好適な実施形態であり、本発明はこれに限定されることなく、本発明の技術的思想に基づいて種々変形して実施することが可能である。
【０１５３】
例えば、上述した実施形態では、ＥＩＲ９でCheck IMEIを行うため、ＥＩＲ内でＩＭＥＩＳＶからＩＭＥＩを取り出すこととして説明したが、ＥＩＲ９にＩＭＥＩを送信できればこの構成に限定されず、他の装置でＩＭＥＩを取り出す構成であってもよい。
【０１５４】
また、Femto AP２からCheck IMEI情報を送信する契機となる位置登録のパターンは、図４で示すパターンに限定されず、例えば、Femto IMS網内に在圏中のＵＥからの周期位置登録（６分周期など）や、Femto IMS網内在圏中でのFemto APからのSIP-Re-Registerによる周期位置登録（５０分周期など）の場合にもＩＭＥＩのチェックを行う構成であってもよい。
【０１５５】
また、上述した実施形態では、ＵＥ１の位置情報をコアネットワークに登録させるトランザクションが完了したことを契機にFemto AP２がCheck IMEI情報を送出することとして説明したが、位置登録のための回線接続後など、位置登録中の所定のタイミングでCheck IMEI情報をＥＩＲ９に送信することができればこのタイミングに限定されず、例えば位置登録のトランザクション開始前など、予め定められた任意のタイミングとして設定されてよい。
【０１５６】
また、上述した実施形態では、ＳＩＰヘッダにおけるContent-Typeの値をCheck IMEIおよびＳＳ制御を示すものとすることにより、ＩＰＳＭＧＷ５がCheck IMEIを示す情報として判別に用いているが、Check IMEIを示す情報であればContent-Typeの値に限定されず、ＳＩＰメッセージにおける他の情報であってもよい。
また、ＳＩＰメッセージＢｏｄｙ部におけるProtocol DiscriminatorをCheck IMEIを示すものとすることにより、ＨＳＳ／ＭＡＰＧＷ６がCheck IMEIを示す情報として判別に用いているが、Check IMEIを示す情報であればProtocol Discriminatorに限定されず、ＳＩＰメッセージにおける他の情報であってもよい。
すなわち、Check IMEIを示す情報がＳＩＰメッセージのヘッダ部およびＢｏｄｙ部の内に何らかの形で含まれていれば、上述した実施形態の構成に限定されず、本発明は同様に実現することができる。
【０１５７】
また、上述した実施形態では、図５のＣａｓｅ＃３〜＃６の場合、すなわちCheck IMEI情報に対してＥＩＲ９から不正でない、または不正の旨のチェック結果メッセージが正常に受信されていない場合、準正常系動作として位置情報登録を正常に行うこととして説明している。しかし、どの場合に位置情報登録を正常に行ってＵＥを使用可能とさせるかについての使用可否の判定基準については、上述した判定基準に限定されず、ネットワークの状況やセキュリティポリシーなどに応じて各種のものであってよい。
【０１５８】
また、本明細書における「システム」とは、複数の装置（又は特定の機能を実現する機能モジュール）が論理的に集合したもののことであり、各装置や各機能モジュールが単一の筐体内にあるか否かは特に問われるものではない。
特に、ＩＰＳＭＧＷ５、ＨＳＳ／ＭＡＰＧＷ６、ＶＬＲ６１、ＨＬＲ８は所定の機能を実現するものであり、各機能を実現する構成が単一の筐体内にあるか否かは特に問われるものではない。
【０１５９】
また、上述した実施形態では、ＩＰＳＭＧＷ５が、受信したＳＩＰメッセージにおけるContent-Typeの値がＳＭＳを示すものであるか、Check IMEIおよびＳＳ制御を示すものであるかに基づいて送信先の判別を行い、Check IMEIおよびＳＳ制御を示すものであればプロトコル変換してＨＳＳ／ＭＡＰＧＷ６との間で信号を送受信することとして説明している。しかし、こうした本実施形態としての判別、変換、送受信といった各機能を実現することができれば上述の構成に限定されず、他の装置がそれら機能を備える構成であっても、本発明は同様に実現することができる。
例えば、図１４の接続例（１）に示すように、ＣＳＣＦ４が標準的に備えるサービス振り分け機能により上述した送信先の判別を行い、プロトコル変換や送受信といったＨＳＳ／ＭＡＰＧＷ６との間の通信制御をＡＳ（application server；変換装置）が行う構成であってもよい。すなわち、ＣＳＣＦ４とＡＳによるゲートウェイシステムが上述したＩＰＳＭＧＷ５による本実施形態としての判別、変換、送受信といった各機能を実装する構成であっても、本発明は同様に実現することができる。
【０１６０】
また、図１４に示す例では、接続例（２）のように、ＣＳＣＦ４が上述のように送信先の判別を行い、ＡＳがプロトコル変換などの通信制御を行い、ＡＳとＥＩＲ９との間でCheck IMEI情報を含む信号の送受信を行う構成であってもよい。すなわち、ＨＳＳ／ＭＡＰＧＷ６を介さずにＡＳとＥＩＲ９との間で信号の送受信を行う構成であってもよい。
【０１６１】
図１４に示す構成とする場合、Femto AP２が、送信するＳＩＰメッセージのヘッダ情報に何らかのサービス判別子（iFC；initial Filter Criteria、等）を付与することにより、ＣＳＣＦ４が送信先の判別を行うこととなる。
【０１６２】
また、上述した図１４に示す構成で、プロトコル変換や送受信といった通信制御機能をＡＳが備えることとして説明したが、上述のように、この通信制御機能を実現する変換装置としての構成がどの筐体内にあるかは特に問われるものでなく、例えば、ＣＳＣＦ４やＨＳＳが備える構成であってもよい。
【０１６３】
また、上述した各実施形態としてのフェムトセル用基地局、ＩＰＳＭＧＷ（ショートメッセージゲートウェイ装置）、ＨＳＳ／ＭＡＰＧＷ（ＭＡＰゲートウェイ装置）を実現するための処理手順をプログラムとして記録媒体に記録することにより、本発明の各実施形態による上述した各機能を、その記録媒体から供給されるプログラムによって、システムを構成するコンピュータのＣＰＵに処理を行わせて実現させることができる。
この場合、上記の記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
この記録媒体としては、例えばフレキシブルディスク、ハードディスク、光ディスク、光磁気ディスク、ＣＤ-ＲＯＭ、ＣＤ-Ｒ、ＣＤ-ＲＷ、ＤＶＤ-ＲＯＭ、ＤＶＤ-ＲＡＭ、ＤＶＤ-ＲＷ、ＤＶＤ+ＲＷ、磁気テープ、不揮発性のメモリーカード、ＲＯＭ等を用いてよい。
【０１６４】
この本発明に係るプログラムによれば、当該プログラムによって制御されるフェムトセル用基地局、ショートメッセージゲートウェイ装置、ＭＡＰゲートウェイ装置に、上述した各実施形態における各機能を実現させることができる。
【符号の説明】
【０１６５】
１    ＵＥ（無線端末の一例）
２    Femto AP（フェムトセル用基地局の一例）
３    ＰＤＧ
４    ＣＳＣＦ
５    ＩＰＳＭＧＷ（ショートメッセージゲートウェイ装置の一例）
６    ＨＳＳ／ＭＡＰＧＷ（ＭＡＰゲートウェイ装置の一例）
６１    ＶＬＲ
７    ＡＡＡ
８    ＨＬＲ
９    ＥＩＲ
９５    ＳＭＳＣ
【図１】
0005424314.tif 000002
【図２】
0005424314.tif 000003
【図３】
0005424314.tif 000004
【図４】
0005424314.tif 000005
【図５】
0005424314.tif 000006
【図６】
0005424314.tif 000007
【図７】
0005424314.tif 000008
【図８】
0005424314.tif 000009
【図９】
0005424314.tif 000010
【図１０】
0005424314.tif 000011
【図１１】
0005424314.tif 000012
【図１２】
0005424314.tif 000013
【図１３】
0005424314.tif 000014
【図１４】
0005424314.tif 000015
【図１５】
0005424314.tif 000016